(57)【要約】【課題】高級感や高揚感があり、消費者がインテリアとして集取したくなるような加飾容器を提供する。【解決手段】加飾容器１Ａが、容器本体２とその外側に位置する外体１０を有する二重壁構造であり、外体１０が透明性を有し、外体１０の内側表面１１と外側表面１２にそれぞれ凹凸模様が形成されている。【選択図】図１Ａ
2018118768.tif 000002
【特許請求の範囲】
【請求項１】
容器本体とその外側に位置する外体を有する二重壁構造の加飾容器であって、
外体が透明性を有し、外体の内側表面と外側表面にそれぞれ凹凸模様が形成されている加飾容器。
【請求項２】
容器本体と外体との間に加飾層を有する請求項１記載の加飾容器。
【請求項３】
加飾層が容器本体の表面に形成されている請求項２記載の加飾容器。
【請求項４】
加飾層が容器本体と外体との間に配されたシートである請求項２記載の加飾容器。
【請求項５】
加飾層が容器本体と外体との間に充填されている液体である請求項２記載の加飾容器。
【請求項６】
発光体を有する請求項１〜５のいずれかに記載の加飾容器。
【請求項７】
加飾層に図柄が形成されており、該図柄と、外体の凹凸模様の位置が対応している請求項２〜６のいずれかに記載の加飾容器。
【請求項８】
外体の内側表面の凹凸模様よりも外側表面の凹凸模様の深さ又は図柄の大きさが大きい請求項１〜７のいずれかに記載の加飾容器。
【発明の詳細な説明】
【技術分野】
【０００１】
本発明は、加飾容器に関する。
【背景技術】
【０００２】
容器の壁面を二重構造にして装飾を施した加飾容器が、化粧料、香粧品等の分野で使用されている。例えば、ボトル容器を、ボトル本体とその外側に設けられた外殻体からなる二重壁構造とし、ボトル本体に透明性をもたせると共にその外周面に加飾層を形成し、外殻体にも透明性をもたせると共にその外周面に凹凸模様を形成し、凹凸模様による光の屈折効果や散乱効果と、ボトル本体による加飾層の効果の相乗効果によりボトル容器に加飾性を付与したものが知られている（特許文献１）。
【先行技術文献】
【特許文献】
【０００３】
【特許文献１】特開２０１３−１１２３９０号公報
【発明の概要】
【発明が解決しようとする課題】
【０００４】
加飾容器は、化粧料、香粧品等の分野で使用が拡大しており、今後、ますますユーザーに満足感や高級感を与えるデザインが求められる。
【０００５】
これに対し、本発明は、従来の加飾容器よりも高級感や高揚感があり、消費者がインテリアとして集取したくなるような加飾容器の提供を課題とする。
【課題を解決するための手段】
【０００６】
本発明者は、容器の少なくとも一部を、容器本体とその外側の外体との二重壁構造とするにあたり、外体の内表面と外表面の双方に凹凸模様を設けると、従来よりもレンズ効果や散乱効果が強まり、加飾の立体感が顕著に強まることを見出し、本発明を相当した。
【０００７】
即ち、本発明は、容器本体とその外側に位置する外体を有する二重壁構造の加飾容器であって、
外体が透明性を有し、外体の内側表面と外側表面にそれぞれ凹凸模様が形成されている加飾容器を提供する。
【発明の効果】
【０００８】
本発明の加飾容器によれば、外体の内側表面と外側表面にそれぞれ凹凸模様が形成されているので、凹凸模様によるレンズ効果や散乱効果が顕著に強まる。したがって、本発明の加飾容器は、感性に訴える立体感のある加飾を有するものとなる。
【図面の簡単な説明】
【０００９】
【図１Ａ】図１Ａは、実施形態の加飾容器の１Ａの片側断面図である。
【図１Ｂ】図１Ｂは、実施形態の加飾容器１Ａの加飾層における図柄の一例である。
【図１Ｃ】図１Ｃは、実施形態の加飾容器の外体における凹凸模様の一例である。
【図２】図２は、実施形態の加飾容器１Ｂの片側断面図である。
【図３】図３は、実施形態の加飾容器１Ｃの片側断面図である。
【図４】図４は、実施形態の加飾容器１Ｄの片側断面図である。
【図５Ａ】図５Ａは、実施形態の加飾容器１Ｅの片側断面図である。
【図５Ｂ】図５Ｂは、内容物が充填されている実施形態の加飾容器１Ｅの片側断面図である。
【図６】図６は、実施形態の加飾容器１Ｆの片側断面図である。
【発明を実施するための形態】
【００１０】
以下、図面を参照しつつ本発明を詳細に説明する。なお、各図中、同一符号は、同一又は同等の構成要素を表している。
【００１１】
＜実施形態１＞
（全体構成）
図１は、本発明の一実施形態の加飾容器１Ａの片側断面図である。この加飾容器１Ａは、内容物の充填領域側に位置する容器本体２と、容器本体２の外側に位置する外体１０とを有する。加飾容器１Ａは更に、容器本体２の口部に螺合して該口部を密封する蓋３と、容器本体２の側面と外体１０との間にある加飾層２０と、容器本体２の底面と外体１０との間にある底部加飾層３０と、容器本体２の口部近傍で容器本体２と外体１０の隙間を塞ぐ肩カバー４０を有する。
【００１２】
（容器本体）
本実施形態において、容器本体２は内容物を充填することのできるボトル状の容器である。この容器はポリエステル系樹脂、ポリオレフィン系樹脂、アイオノマー系樹脂等の樹脂成形体であり、二軸延伸ブロー成形、ダイレクトブロー成形等の公知の方法で製造することができる。
【００１３】
本実施形態において、容器本体２は透明であっても、不透明であってもよく、無色でも着色されていてもよく、パール光沢を有するものでもよい。加飾層２０が透明性を有する場合に容器本体２が着色されていると、その色によっても加飾容器１Ａの外観における地色を変えることができる。
【００１４】
一方、本発明において容器本体は、樹脂成形体に限られず、アルミ缶、スチール缶等の金属缶、樹脂フィルム、金属ラミネート層を有する積層フィルムで形成されたパウチ等としてもよい。また、容器本体は口部から内容物を直接注出又は吐出する容器でもよく、ポンプ式又はエアゾール式スプレー容器であってもよい。
【００１５】
また、本発明において容器本体２と外体１０とは着脱可能としてもよく、その場合に容器本体２を使い捨ての付け替え容器としてもよい。容器本体２を付け替え容器とする場合、容器本体２を、胴部の厚さが例えば０．５〜１．５ｍｍの薄肉容器としたり、０．０９〜０．１２ｍｍの軟包材とし、樹脂量を低下させることが好ましい。これにより、加飾容器としての装飾性を保持しつつ環境負荷を低減させることができる。
【００１６】
（外体）
本実施形態の加飾容器１Ａにおいて外体１０は有底筒状であり、透明性を有するポリエステル系樹脂、ポリスチレン系樹脂、アイオノマー系樹脂、アクリル系樹脂、ポリオレフィン系樹脂、エラストマー系樹脂等で形成されている。なお、本発明において、外体１０は透明性を有するガラスで形成されていてもよい。ここで、外体１０が透明性を有するとは、通常の外光のもとで容器本体２の外形や色を視認できる程度に、また、加飾層２０が存在する場合にはその図柄を外体１０の外側から視認できる程度に、外体１０が光透過性を有していることをいい、有色、無色を問わず、半透明を含む。
【００１７】
外体１０は、その内側表面１１と外側表面１２の双方に凹凸模様を有している。ここで凹凸模様とは、表面凹凸により形成された模様をいう。本実施形態の加飾容器１Ａでは、図１Ａに示したように、外体１０の内側表面１１の凹凸模様と外側表面１２の凹凸模様の凸部同士又は凹部同士が重なり合っている。これにより、それらが重ならない場合に比して凹凸模様による光のレンズ効果やプリズム効果が顕著に強まるので従来にない立体的な印象を与えることができ、さらに外側表面１２の凹凸模様の触覚による印象も加わり、視覚と触覚の相乗効果が発揮される立体加飾容器を得ることが可能となる。
【００１８】
一方、本発明において、外体１０の内側表面１１の凹凸模様と外側表面１２の凹凸模様はそれぞれ別個の模様としてもよく、内側表面１１の凹凸模様と外側表面１２の凹凸模様の凸部同士又は凹部同士は必ずしも重ならなくてもよい。内側表面１１の凹凸模様と外側表面１２の凹凸模様が別個の模様であっても、内側表面１１と外側表面１２の双方に凹凸模様があることで、双方の表面１１、１２のそれぞれでレンズ効果やプリズム効果を得られるので内側表面１１と外側表面１２のいずれか一方に凹凸模様がある場合に比して複雑な加飾を形成することが可能となる。また、内側表面１１と外側表面１２の双方に凹凸模様があることにより、デザインの自由度が高まり新しい加飾効果を得ることが可能となる。
【００１９】
また、図１Ａに示した実施形態の加飾容器１Ａでは、外体１０の側面全周に花柄模様が設けられているが、本発明において、凹凸模様における模様の種類に特に限定はなく、花柄の他、ダイヤモンドカットを含む宝石調模様、筋状模様、幾何学模様等を挙げることができる。これらの模様は、規則的に繰り返されていても良く、不規則に形成されていてもよい。また、凹凸模様は内側表面１１及び外側表面１２の全面に形成されていてもよく、一部に形成されていてもよい。凹凸模様が内側表面１１及び外側表面１２の一部に形成されている場合に、その形成位置は、例えば、外体１０の高さ方向又は周方向の特定範囲とすることができる。
【００２０】
内側表面１１と外側表面１２にそれぞれ凹凸模様を有する外体１０は、インモールド成形等により作製することができる。この場合、成形を容易にする点、及び立体模様の感触を強く得られるようにする点から、内側表面１１よりも外側表面１２の凹凸模様の深さや図柄の大きさを大きくすることが好ましい。例えば、外側表面１２における凹凸模様の深さ方向の高低の最大値を０．１〜５．０ｍｍとし、内側表面１１における同様の数値を０．０５〜４．０ｍｍとする。
【００２１】
内側表面１１及び外側表面１２には、それぞれ必要に応じてフロスト加工により図柄を形成してもよい。特に、内側表面１１にフロスト加工により図柄を形成すると、そのフロスト加工による図柄にも外側表面１２の凹凸模様によって立体感を与えることができるので斬新な加飾となる。
【００２２】
また、外体１０を樹脂成形するにあたり、成形金型にシボ加工やサンドブラスト加工等を部分的に施しておくことにより、内側表面１１及び／又は外側表面１２における光の反射や散乱状態を部分的に異ならせ、凹凸模様の立体感に変化を与えても良い。
【００２３】
（加飾層）
本発明において加飾層２０は必要に応じて設けられ、本実施形態の加飾容器１Ａでは加飾層２０としてシート２１を有する。加飾層２０を形成するシート２１は、透明又は不透明な樹脂シート、紙、樹脂シート又は紙とアルミ等の金属箔とのラミネートシート等から形成することができる。また、シート２１を透明又は不透明な発光フィルムから形成してもよい。なお、加飾層２０が透明であるとは、容器本体２が不透明な場合には容器本体の外形や着色の有無を、容器本体２が透明の場合にはその内容物の存在を加飾層２０の外側から通常の外光のもとで視認できる程度の光透過性があることをいう。
【００２４】
また、本発明において加飾層を構成するシート２１は、図柄のない単色のシートでも、図柄を有するシートでもよい。ここで、加飾層における図柄とは、色相や色の濃淡により視認される模様をいう。この図柄や地色に特に限定はない。例えば、図柄として、花柄模様、宝石調模様、筋状模様、幾何学模様等の有形模様でもよく、単色デザイン、単色あるいは複色グラデーション、金属調デザイン等の無形模様でもよい。またこれらの図柄は規則的に繰り返されてもよく、不規則に形成されていてもよい。シート２１における図柄の範囲はシート２１の全面でもよく、一部でもよい。シート２１が不透明な場合に図柄は該シート２１の外体１０側に設けられるが、シート２１が透明な場合には図柄は該シート２１の容器本体２側に設けられていてもよく、外体１０側でもよく、両側に設けられていてもよい。図柄は、印刷、塗装、蒸着等により形成することができる。
【００２５】
本実施形態の加飾容器１Ａでは、加飾層２０を形成するシート２１として図１Ｂに示す花柄などの図柄が形成されており、外体１０には図１Ｃに示すように、加飾層２０の個々の図柄の外形に概ね対応した凹凸模様が図柄の位置に対応して形成されている。これより、それらを重ね合わせた加飾容器１Ａでは、図１Ａに示すように立体感のある模様を得ることができる。この場合、シート２１の図柄と外体１０の凹凸模様の位置が対応するように、シート２１と外体１０に位置合わせ用の印を付しておくことが好ましい。
【００２６】
一方、シート２１に幾何学模様などを形成する場合、必ずしもシート２１の図柄と外体１０の凹凸模様の位置は対応しなくてもよい。
【００２７】
加飾層２０を形成するシート２１を発光フィルムから形成する場合に、その発光フィルムとしては、種々のフィルム状の発光体を使用することができる。例えば、発光塗料・蛍光塗料・夜光塗料を塗工して紫外線等の照射により発光するものでもよく、蓄光塗料や蛍光塗料を塗工した蓄光タイプのものでもよく、静電気あるいは電池や電源につないだ無機エレクトロルミネセンス（ＥＬ）フィルムを利用するものでもよい。
【００２８】
（底部加飾層）
本発明において底部加飾層３０は、上述の容器本体２の側面と外体１０との間にある加飾層２０と同様に構成してもよく、異ならせてもよい。特に、底部加飾層３０を図柄のない発光フィルムのみで構成してもよい。また、底部加飾層３０を省略してもよい。  
【００２９】
（肩カバー）
本実施形態において、肩カバー４０は容器本体２の口部の基部に嵌着し、容器本体２と外体１０の隙間を塞ぎ、これらの内部空間を密封する。これにより、容器本体２の内容物が液体であっても、その液だれなどによって、加飾層２０や外体１０の内側表面１１による加飾性が損なわれることを防止できる。
【００３０】
肩カバー４０は、固定的に容器本体２の口部の基部に取り付けられてもよく、着脱自在としてもよい。肩カバー４０を着脱自在とし、外体１０に対して容器本体２を交換可能とすると、容器本体２を付け替え容器とすることができるので好ましい。
【００３１】
＜実施形態２＞
図２は、本発明の異なる実施形態の加飾容器１Ｂの片側断面図である。
この加飾容器１Ｂは、図１Ａに示した加飾容器１Ａに対して、加飾層２０として容器本体２の表面である側面に直接形成された印刷層又は蒸着塗装層２２を有している点が異なっている。加飾層２０として印刷層又は蒸着塗装層２２を容器本体２の表面に直接形成すると、容器本体２の表面と外体１０との間に、加飾層２０としてシート２１を設ける場合に比して加飾層２０と外体１０の内側表面１１との間隙をあけることができるので、外体１０の内側表面１１の凹凸模様をより深くすることができる。
【００３２】
本実施形態の加飾容器１Ｂにおいて、加飾層２０が容器本体２の側面に直接形成されている以外の点は、上述の加飾容器１Ａと同様にすることができる。
【００３３】
なお、本発明においては、上述のように加飾層２０を容器本体２の表面に直接形成することに代えて、外体１０の内側表面１１に印刷や蒸着塗装等により直接形成してもよい。
【００３４】
＜実施形態３＞
図３は、さらに異なる実施形態の加飾容器１Ｃの片側断面図である。この加飾容器１Ｃでは、上述の加飾容器１Ｂに対し、底部加飾層３０を容器本体２の底部と外体１０の間に設けず、外体１０の底面の外側表面に蒸着塗装により加飾部３１が形成されている点が異なっている。この場合、加飾部３１の効果を際立たせるため、容器本体２や外体１０は、加飾容器１Ｃの外側から内容物５０を明確に視認できる程度に透明であることが好ましい。
【００３５】
＜実施形態４＞
図４の加飾容器１Ｄでは、加飾層２０及び底部加飾層３０として、容器本体２と外体１０との間に有色液体２３が充填されている。有色液体２３として、互いに混合しない複数色の液体２３ａ、２３ｂを充填してもよい。また、加飾層２０、３０として、ラメや有色粉体を混合した液体を使用してもよい。加飾層２０、３０として有色液体２３又は粉体を使用することにより、動きのある装飾を施すことができる。
【００３６】
＜実施形態５＞
図５Ａに示した加飾容器１Ｅは、上述した加飾容器１Ａ、１Ｂ、１Ｃ、１Ｄに対して、加飾層２０及び底部加飾層３０が省略されている点が異なっている。
【００３７】
また、この加飾容器１Ｅでは、外体１０の内側表面１１にフロスト加工が施されたフロスト加工部１３が形成され、このフロスト加工部１３が図柄の一部となっている。フロスト加工部１３は、外体１０の内側表面１１及び外側表面１２が有する凹凸模様に対応したものが好ましい。なお、フロスト加工部１３は、外体１０の外側表面１２に形成してもよい。
【００３８】
このように本発明では、加飾層２０を省略しても、外体１０の凹凸模様により立体感のある加飾を施すことができる。図５Ｂに示すように、容器本体２に充填される内容物５０が有色液体又は粉体である場合、加飾層２０を省略しても、内容物５０の色が加飾の背景色となるので好ましい。
【００３９】
＜実施形態６＞
図６に示した加飾容器１Ｆは、図２に示した加飾容器１Ｂに対して、外体１０が底面のない筒状であり、底部加飾層３０と肩カバー４０が省略されている点で異なっている。この加飾容器１Ｆによれば、外体１０を容器本体２の口部側から被せることにより、容易に外体１０を容器本体２に装着することができる。したがって、この加飾容器１Ｆによれば、外体１０を装着する容器本体２を取り替えることが容易であり、例えば、容器本体２が付け替え容器である場合に利便性が高い。
【００４０】
なお、容器本体２に被せた外体１０を容器本体２に着脱自在に固定する手段としては、これらの嵌合、螺合などを挙げることができる。
【００４１】
また、この加飾容器１Ｆでは、容器本体２と外体１０の間の空間が、加飾容器１Ｆの底部の隙間１４で外気と繋がっている。したがって、外体１０を装着する容器本体２の表面が仮に濡れていても、表面の水は容器本体２と外体１０の底部の隙間１４から抜けるため、外体１０の装着に支障がきたされない。
【００４２】
上述した本発明の加飾容器の種々の態様は適宜組み合わせることができる。また、本発明は上記各実施形態に限定されることなく種々の変更が可能である。例えば、ＬＥＤ等の発光体を、加飾容器の底部や肩部に配置し、美観を一層向上させてもよい。また、図６に示したように肩カバー４０を省略した場合に、外体１０の底部を嵌合、螺合などにより着脱自在に取り外しできるようにしてもよい。
【符号の説明】
【００４３】
１Ａ、１Ｂ、１Ｃ、１Ｄ、１Ｅ、１Ｆ  加飾容器
２    容器本体
３    蓋
１０    外体
１１    内側表面
１２    外側表面
１３    フロスト加工部
１４    隙間
２０    加飾層
２１    シート
２２    印刷層又は蒸着塗装層
２３、２３ａ、２３ｂ    有色液体
３０    底部加飾層
３１    蒸着塗装による加飾部
４０    肩カバー
５０    内容物
【図１Ａ】
2018118768.tif 000003
【図１Ｂ】
2018118768.tif 000004
【図１Ｃ】
2018118768.tif 000005
【図２】
2018118768.tif 000006
【図３】
2018118768.tif 000007
【図４】
2018118768.tif 000008
【図５Ａ】
2018118768.tif 000009
【図５Ｂ】
2018118768.tif 000010
【図６】
2018118768.tif 000011